(57)【特許請求の範囲】
【請求項１】
所定の配信時刻に無線通信システムのチャネルを介して配信されるコンテンツを自動受信するために必要な情報を記憶する記憶手段と、
該情報に基づいて前記配信されるコンテンツを自動受信する受信手段と、
電池の残量を検出する検出手段と、
前記情報に含まれる配信時刻に、前記電池残量に基づいてコンテンツを自動受信しなかった場合は、ユーザ操作に基づいて、当該コンテンツを記憶しているサーバに該コンテンツの送信を要求して取得するように制御する制御手段と、
を備えることを特徴とする無線通信端末。
【請求項２】
所定の配信時刻に無線通信システムのチャネルを介して配信されるコンテンツを自動受信するために必要な情報を記憶するステップと、
該情報に含まれる配信時刻に、電池残量に基づいてコンテンツを自動受信しなかった場合は、ユーザ操作に基づいて、当該コンテンツを記憶しているサーバに該コンテンツの送信を要求して取得するように制御するステップと、
を具備することを特徴とする配信コンテンツ受信方法。
【発明の詳細な説明】
【技術分野】
【０００１】
本発明は、配信時刻になると自動的にコンテンツを受信する無線通信端末及び配信コンテンツ受信方法に関する。
【背景技術】
【０００２】
符号分割多元接続（ＣＤＭＡ）を用いた移動体通信ネットワークでは、高速なデータ通信を実現する１ｘＥＶ−ＤＯ（１ｘ  ｅｖｏｌｕｔｉｏｎ−ｄａｔａ  ｏｎｌｙ）が提供されている（例えば、非特許文献１参照。）。
【０００３】
１ｘＥＶ−ＤＯを適用した移動体通信システムでは、番組等のコンテンツ配信サービスが実現されている。
【０００４】
かかるコンテンツ配信サービスでは、予めコンテンツ毎に配信時刻が定められている。また、無線通信端末は、予め配信を希望するコンテンツを決定し、当該コンテンツが配信時刻に配信されるように配信登録処理を行う。そして、無線通信端末は、配信登録処理を行ったコンテンツ（以下、登録コンテンツ）の配信時刻になると、当該登録コンテンツを自動的に受信することによって、当該登録コンテンツを取得する。
【非特許文献１】3GPP2 C.S0024-A Version 1.0 cdma2000 High Rate Packet Data AirInterface Specification, March 2004 1.Overview
【発明の開示】
【発明が解決しようとする課題】
【０００５】
しかしながら、上述のコンテンツ配信サービスでは、無線通信端末は、登録コンテンツの配信時刻になると、電池残量にかかわらず、当該登録コンテンツの受信を自動的に開始してしまう。このため、図１０に示すように、無線通信端末の電池残量が少ない場合に、当該登録コンテンツの自動受信によって、無線通信端末の電池が消費し尽くされてしまう場合があるという問題点があった。
【０００６】
そこで、本発明は、このような状況に鑑みてなされたものであり、無線通信端末が登録コンテンツの配信時刻になると当該登録コンテンツを自動的に受信するコンテンツ配信サービスにおいて、無線通信端末の電池残量が少ない場合に、当該登録コンテンツの自動受信によって、無線通信端末の電池が消費し尽くされてしまうことを防止するとともに、当該登録コンテンツの取得機会を失わないようにする無線通信端末及び配信コンテンツ受信方法を提供することを目的とする。
【課題を解決するための手段】
【０００７】
本発明の第１の特徴は、所定の配信時刻に無線通信システムのチャネルを介して配信されるコンテンツを自動受信するために必要な情報を記憶する記憶手段と、該情報に基づいて前記配信されるコンテンツを自動受信する受信手段と、電池の残量を検出する検出手段と、前記情報に含まれる配信時刻に基づいてコンテンツを自動受信する際、前記検出手段が検出する電池残量が閾値以下の場合は、当該配信時刻における配信コンテンツの受信を取り消し、当該コンテンツを記憶しているサーバに該コンテンツの送信を要求してユニキャストにより取得するように制御する制御手段とを備えることを要旨とする。
【０００８】
本発明の第１の特徴において、前記制御手段は、前記電池の残量が閾値を超えたことを検出すると、前記コンテンツを記憶しているサーバに該コンテンツの送信を要求してユニキャストにより取得するように制御してもよい。
【０００９】
本発明の第１の特徴において、前記制御手段は、前記配信時刻における配信コンテンツの受信を取り消した場合、前記コンテンツを記憶しているサーバに該コンテンツの送信を要求してユニキャストにより取得するようにする旨のユーザに対する情報の表示を、表示手段に表示するように制御してもよい。
【００１０】
本発明の第１の特徴において、前記制御手段は、前記配信時刻におけるコンテンツ受信を取り消し、前記情報に含まれる再配信情報に基づいて前記コンテンツの再配信時に当該コンテンツを受信するように制御した後、該再配信時刻に基づいてコンテンツを自動受信する際、前記検出手段が検出する前記電池の残量が閾値以下の場合は、該コンテンツを記憶しているサーバに当該コンテンツの送信を要求して取得するように制御してもよい。
【００１１】
本発明の第２の特徴は、所定の配信時刻に無線通信システムのチャネルを介して配信されるコンテンツを自動受信するために必要な情報を記憶するステップと、該情報に含まれる配信時刻に基づいてコンテンツを自動受信する際、電池の残量が閾値以下の場合は、当該配信時刻における配信コンテンツの受信を取り消すステップと、
当該コンテンツを記憶しているサーバに該コンテンツの送信を要求してユニキャストにより取得するように制御するステップとを具備することを要旨とする。
【００１２】
本発明の第２の特徴において、前記電池の残量が閾値を超えたことを検出すると、前記コンテンツを記憶しているサーバに該コンテンツの送信を要求してユニキャストにより取得してもよい。
【００１３】
本発明の第２の特徴において、前記配信時刻における配信コンテンツの受信を取り消した場合、前記コンテンツを記憶しているサーバに該コンテンツの送信を要求してユニキャストにより取得するようにする旨のユーザに対する情報を表示してもよい。
【００１４】
本発明の第２の特徴において、前記配信時刻におけるコンテンツ受信を取り消し、前記情報に含まれる再配信情報に基づいて前記コンテンツの再配信時に当該コンテンツを受信するように制御した後、該再配信時刻に基づいてコンテンツを自動受信する際、前記検出手段が検出する前記電池残量が閾値以下の場合は、該コンテンツを記憶しているサーバに当該コンテンツの送信を要求して取得してもよい。
【００１５】
本発明の第２の特徴において、前記情報に再配信情報が含まれていない場合、前記配信時刻に基づいてコンテンツを自動受信すると電池が切れる可能性がある旨を表示してもよい。
【発明の効果】
【００１６】
本発明の特徴によれば、無線通信端末が登録コンテンツの配信時刻になると当該登録コンテンツを自動的に受信するコンテンツ配信サービスにおいて、無線通信端末の電池の残量が少ない場合に、当該登録コンテンツの自動受信によって、無線通信端末の電池が消費し尽くされてしまうことを防止するとともに、当該登録コンテンツの取得機会を失わないようにする無線通信端末を提供することができる。
【発明を実施するための最良の形態】
【００１７】
（移動体通信システムの概略構成）
図１は、本実施形態に係る無線通信端末を含む移動体無線通信システム１の概略構成図である。図１に示すように、移動体無線通信システム１は、無線通信端末１００と、ＢＣＭＣＳサーバ２００と、ネットワーク３００と、ＰＤＳＮ（Ｐａｃｋｅｔ  Ｄａｔａ  Ｓｅｒｖｉｎｇ  Ｎｏｄｅ）４００と、ＰＣＦ（ＰＣＦ：Ｐａｃｋｅｔ  Ｃｏｎｔｏｒｏｌ  Ｆｕｎｃｔｉｏｎ）５００と、ＡＮ（Ａｃｃｅｓｓ  Ｎｅｔｗｏｒｋ）６００とによって構成される。
【００１８】
移動体無線通信システム１は、１ｘＥＶ−ＤＯに対応した移動体通信システムである。移動体無線通信システム１では、無線通信端末１００に個別に割り当てられたチャネルによるデータの双方向通信による送受信（ユニキャスト）が行われる。
【００１９】
また、移動体無線通信システム１は、複数の無線通信端末１００に同一のデータを一斉に配信することができる、ＢＣＭＣＳ（Ｂｒｏａｄｃａｓｔ  Ｍｕｌｔｉｃａｓｔ  Ｓｅｒｖｉｃｅ）機能にも対応している。ＢＣＭＣＳ機能では、複数の不特定又は指定した無線通信端末１００に一斉にデータを配信可能なチャネルによる片方向通信のデータ配信（ブロードキャスト／マルチキャスト）が行われる。
【００２０】
また、移動体無線通信システム１は、かかるＢＣＭＣＳ機能を用いて、コンテンツ配信サービスを提供する。かかるコンテンツ配信サービスでは、無線通信端末１００は、ＢＣＭＣＳサーバ２００によって配信されるコンテンツのうち、配信を希望するコンテンツを予め選択する。ＢＣＭＣＳサーバ２００は、各コンテンツの配信時刻になると、コンテンツの配信を登録した全ての無線通信端末１００に対して、一斉に配信する。無線通信端末１００は、選択したコンテンツの配信時刻になると、当該コンテンツを、ネットワーク３００と、ＰＤＳＮ４００と、ＰＣＦ５００と、ＡＮ６００とを介して、自動的に受信する。
【００２１】
なお、移動体無線通信システム１に含まれる無線通信端末１００、ＰＤＳＮ４００、ＰＣＦ５００、ＡＮ６００の数量は、図１に示す数量に限定されるものではない。
【００２２】
（無線通信端末の機能ブロック構成）
図２を参照し、移動体無線通信システム１を構成する無線通信端末１００の機能ブロック構成について説明する。
【００２３】
なお、以下、本発明との関連がある部分について主に説明する。したがって、無線通信端末１００は、当該装置としての機能を実現する上で必須な、図示しない或いは説明を省略した機能ブロックを備える場合があることに留意されたい。
【００２４】
図２に示すように、無線通信端末１００は、送受信部１１０と、コンテンツ配信登録処理部１２０と、電池残量検出部１３０と、タイムシフト処理部１４０と、オンデマンド処理部１５０と、バッテリー１６０と、記憶部１７０と、表示部１８０と、操作部１９０とを具備する。
【００２５】
送受信部１１０は、後述のコンテンツ配信登録処理部１２０において配信登録設定を行ったコンテンツ（以下、登録コンテンツ）の配信時刻になると、ＢＣＭＣＳサーバ２００から配信される登録コンテンツを自動的に受信する。
【００２６】
また、送受信部１１０は、記憶部１７０に記憶されている、コンテンツを自動受信するために必要な情報に基づいて、配信されるコンテンツを自動受信する。
【００２７】
コンテンツ配信登録処理部１２０は、ＢＣＭＣＳサーバ２００に対して、コンテンツの配信登録を行い、受信設定を行う
具体的には、コンテンツ配信登録処理部１２０は、ＢＣＭＣＳサーバ２００から配信されるコンテンツの一覧等から、配信を希望するコンテンツを操作部１９０の操作により選択し、当該コンテンツの配信登録を行う。
【００２８】
ここで、コンテンツの配信登録とは、コンテンツ配信登録処理部１２０が、選択したコンテンツの配信に必要な情報（例えば、無線通信端末１００の識別情報等）をＢＣＭＣＳサーバ２００に通知し、ＢＣＭＣＳサーバ２００から選択したコンテンツの受信に必要な配信情報（以下、登録コンテンツ情報）を取得し、該配信情報に基づいて受信設定をする。以下、配信登録を行ったコンテンツを「登録コンテンツ」とする。
【００２９】
ここで、登録コンテンツ情報とは、図３に示すように、コンテンツＩＤと、コンテンツ名と、配信予定日時と、再送情報と、手動リトライ可否とを含む情報である。
【００３０】
配信予定日時とは、登録コンテンツの配信予定時刻である。再送情報とは、登録コンテンツが再配信されるか否かを判定するための情報である。手動リトライ可否とは、後述するオンデマンド受信の可否を判定するための情報である。
【００３１】
電池残量検出部１３０は、バッテリー１６０の電池残量を検出する。また、電池残量検出部１３０は、登録コンテンツが配信される際に、検出した電池残量をタイムシフト処理部１４０と、オンデマンド処理部１５０とに通知する。
【００３２】
タイムシフト処理部１４０は、登録コンテンツが配信される際に、電池残量検出部１３０によって通知された電池残量が閾値以下である場合、当該登録コンテンツが再配信されるか否かを判定する。登録コンテンツが再配信される場合、タイムシフト処理部１４０は、登録コンテンツの受信を取り消し、登録コンテンツが再配信される際に登録コンテンツを受信する。
【００３３】
具体的には、タイムシフト処理部１４０は、コンテンツ配信登録処理部１２０が取得した登録コンテンツ情報に含まれる「再送情報」を参照し、登録コンテンツが再配信されるか否かを判定する。再送情報が「再送あり」の場合、当該登録コンテンツは再配信され、再配信時に受信可能であることから、タイムシフト処理部１４０は、登録コンテンツの受信を取り消す。
【００３４】
例えば、図４に示すように、登録コンテンツ（例えば、コンテンツＡ）は１２：００に配信されるが、上述の再送情報が「再送あり」であるため、１８：００にも再配信される。そこで、タイムシフト処理部１４０は、１２：００に電池残量が閾値以下である場合、コンテンツＡの受信を取り消し、１８：００に再配信される際にコンテンツＡを受信する。
【００３５】
また、タイムシフト処理部１４０は、登録コンテンツの再配信時刻を無線通信端末１００の表示部１８０の画面に表示するよう制御してもよい。
【００３６】
具体的には、図５（ａ）に示すように、タイムシフト処理部１４０は、登録コンテンツ（例えば、コンテンツＡ）の受信を取り消した場合、コンテンツＡの再配信時刻（次回１８：００）を無線通信端末１００の表示部１８０の画面に表示させ、ユーザに通知してもよい。
【００３７】
また、タイムシフト処理部１４０は、登録コンテンツが再配信されない場合、登録コンテンツの配信時刻であることを通知し、当該登録コンテンツを受信するか否かをユーザに判断させ、ユーザの操作に基づいて、当該登録コンテンツを受信するか否かを決定してもよい。さらに、タイムシフト処理部１４０は、受信途中で登録コンテンツを受信すると、電池が消費し尽くされる（切れる）恐れがあることをユーザに通知（警告）してもよい。
【００３８】
具体的には、図５（ｂ）に示すように、タイムシフト処理部１４０は、登録コンテンツが再配信されない場合、ユーザが登録コンテンツを受信するように判断させるため、登録コンテンツを受信すると受信途中で電池が消費し尽される（切れる）恐れがあることを無線通信端末１００の表示部１８０の画面に表示させ、ユーザに通知（警告）してもよい。
【００３９】
一方、電池が消費し尽される（切れる）恐れがあるため、ユーザが登録コンテンツを受信しないように判断する場合、登録コンテンツを未受信であることを無線通信端末１００の表示部１８０の画面に表示させ、ユーザに通知してもよい。
【００４０】
オンデマンド処理部１５０は、登録コンテンツが配信される際に、電池残量検出部１３０によって通知された電池残量が閾値以下であり、登録コンテンツの受信を取り消した場合、登録コンテンツの取得を要求し、当該要求に応じて設定された通信経路を用いて登録コンテンツを受信する。また、オンデマンド処理部１５０は、登録コンテンツの受信取り消し後に、電池が充電されたことを検知した場合（電池残量が閾値より大きくなった場合）、登録コンテンツの取得を要求してもよい。
【００４１】
具体的には、オンデマンド処理部１５０は、コンテンツ配信登録処理部１２０が取得した登録コンテンツ情報に含まれる「手動リトライ可否」を参照し、オンデマンド受信できるか否かを判定する。手動リトライ可否が「可」の場合、当該登録コンテンツのオンデマンド受信が可能であることから、バッテリー１６０の電池残量に基づいて、登録コンテンツの受信が取り消された場合、オンデマンド処理部１５０は、配信コンテンツを記憶しているネットワーク上のサーバ（例えば、ＢＣＭＣＳサーバ２００）にリクエストし、コンテンツを取得する。
【００４２】
ここで、オンデマンド受信とは、図６に示すように、配信時刻の経過後、無線通信端末１００が能動的に登録コンテンツの取得を要求し、該要求に応じて無線通信端末１００に対して設定された通信経路（ユニキャスト）を用いてＢＣＭＣＳサーバ２００から登録コンテンツを受信することである。すなわち、無線通信端末１００は、他のコンテンツの配信に影響を与えないように、通常の配信に用いられるブロードキャスト／マルチキャストではなく、ユニキャストを用いて登録コンテンツを受信する。
【００４３】
また、図７（ａ）に示すように、オンデマンド処理部１５０は、登録コンテンツ（例えば、コンテンツＡ）の受信を取り消した場合、コンテンツＡをオンデマンド受信できること（例えば、ＤＯＷＮＬＯＡＤボタン）を無線通信端末１００の表示部１８０の画面に表示させ、ユーザに通知してもよい。このとき、オンデマンド処理部１５０は、コンテンツＡへのリンク（例えば、ＤＯＷＮＬＯＡＤボタン）を無線通信端末１００の表示部１８０の画面に表示させてもよい。
【００４４】
さらに、オンデマンド処理部１５０は、登録コンテンツの受信取り消し後に、電池が充電されたことを検知した場合（例えば、電池残量検出部１３０によって検出されたバッテリー１６０の電池残量が閾値より大きくなった場合）、オンデマンド受信できることと、受信を取り消した登録コンテンツへのリンクを無線通信端末１００の表示部１８０の画面に表示させてもよい。
【００４５】
また、オンデマンド処理部１５０は、オンデマンド受信ができない場合（例えば、手動リトライ可否が「否」である場合）、登録コンテンツの配信時刻であることを通知し、当該登録コンテンツを受信するか否かをユーザに判断させ、ユーザの操作に基づいて、当該登録コンテンツを受信するか否かを決定してもよい。さらに、オンデマンド処理部１５０は、登録コンテンツを受信すると、前記電池が消費し尽くされる（切れる）恐れがあることをユーザに通知してもよい。
【００４６】
具体的には、図７（ｂ）に示すように、オンデマンド処理部１５０は、オンデマンド受信ができないため、ユーザが登録コンテンツを受信するように判断する場合、登録コンテンツを受信すると電池が消費し尽される恐れがあることを無線通信端末１００の表示部１８０の画面に表示させ、ユーザに通知してもよい。
【００４７】
一方、電池が消費し尽される（切れる）恐れがあるため、ユーザが登録コンテンツを受信しないように判断する場合、登録コンテンツを未受信であることを無線通信端末１００の画面に表示させ、ユーザに通知してもよい。
【００４８】
上記コンテンツ配信登録処理部１２０、電池残量検出部１３０、タイムシフト処理部１４０、オンデマンド処理部１５０は、記憶部１７０に記憶されているプログラムに基づいて、ＣＰＵ等により処理する制御部の機能ブロックとして構成してもよい。
【００４９】
つまり、制御部は、コンテンツを自動受信するために必要な情報に含まれる配信時刻に基づいてコンテンツを自動受信する際、電池残量検出部１３０（検出手段）が検出する電池残量が閾値以下の場合は、前記配信時刻におけるコンテンツ受信を取り消し、前記情報に含まれる再配信情報に基づいて、前記コンテンツの再配信時に当該コンテンツを受信するように制御する制御手段として機能してもよい。
【００５０】
また、制御部は、コンテンツを自動受信するために必要な情報に含まれる配信時刻に基づいてコンテンツを自動受信する際、電池残量検出部１３０（検出手段）が検出する電池残量が閾値以下の場合は、当該配信時刻における配信コンテンツの受信を取り消し、当該コンテンツを記憶しているサーバに該コンテンツの送信を要求してユニキャストにより取得するように制御する制御手段として機能してもよい。
【００５１】
また、記憶部１７０は、各種プログラム、受信したコンテンツ等を記憶する。さらに、記憶部１７０は、所定の配信時刻に移動体無線通信システム１（無線通信システム）のチャネルを介して配信されるコンテンツを自動受信するために必要な情報等を記憶する。
【００５２】
（移動体通信システム及び無線通信端末の動作）
次に、上述した移動体無線通信システム１に含まれる無線通信端末１００の動作について説明する。
【００５３】
（１）  コンテンツ配信登録動作
図８は、無線通信端末１００（コンテンツ配信登録処理部１２０）が、配信サービスのコンテンツを取得するために、配信サービス（ＢＣＭＣＳサーバ２００）に登録を行う動作である。
【００５４】
ステップＳ１１０において、無線通信端末１００は、ＢＣＭＣＳサーバ２００から配信されるコンテンツの一覧等から、配信を希望するコンテンツを選択する。
【００５５】
ステップＳ１２０において、ＢＣＭＣＳサーバ２００は、コンテンツ配信登録準備を行う。
【００５６】
ステップＳ１３０において、ＢＣＭＣＳサーバ２００は、無線通信端末１００に対して、コンテンツの配信登録確認を要求する。
【００５７】
ステップＳ１４０において、ＢＣＭＣＳサーバ２００は、無線通信端末１００がコンテンツの配信登録確認（承諾）を送信する。
【００５８】
ステップＳ１５０において、ＢＣＭＣＳサーバ２００は、無線通信端末１００に対して、上述の登録コンテンツ情報を送信する。
【００５９】
ステップＳ１６０において、ＢＣＭＣＳサーバ２００は、選択されたコンテンツが、配信時刻に無線通信端末１００に配信されるように、配信登録を行う。
【００６０】
ステップＳ１７０において、ＢＣＭＣＳサーバ２００は、無線通信端末１００に配信登録完了通知を送信する。
【００６１】
そして、無線通信端末１００は、上記ステップを行うことにより、配信サービスのコンテンツの受信設定が行われる。
【００６２】
（２）  コンテンツ受信動作
図９は、無線通信端末１００が、登録コンテンツの受信を行う動作である。ここでは、上述のタイムシフト処理部１４０と、オンデマンド処理部１５０とを組み合わせて、無線通信端末１００が登録コンテンツの受信を行う例について説明する。
【００６３】
ステップＳ２１０において、登録コンテンツの配信時刻となる。
【００６４】
ステップＳ２２０において、無線通信端末１００は、電池残量が閾値以下であるか否かを判定する。電池残量が閾値より多い（ステップＳ２２０のＮＯ）場合、本動作はステップＳ２９０に進み、無線通信端末１００は、ＢＣＭＣＳサーバから配信される登録コンテンツを自動的に受信する。電池残量が閾値以下である（ステップＳ２２０のＹＥＳ）場合、本動作はステップＳ２３０に進む。
【００６５】
ステップＳ２３０において、無線通信端末１００は、登録コンテンツが再配信されるか否かを判定する。登録コンテンツが再配信される（ステップＳ２３０のＹＥＳ）場合、本動作はステップＳ２４０に進み、無線通信端末１００は、再配信時刻を無線通信端末１００の画面に表示させ、ユーザに通知する（図５（ａ）参照）。登録コンテンツが再配信されない（ステップＳ２３０のＮＯ）場合、本動作はステップＳ２５０に進む。
【００６６】
ステップＳ２５０において、無線通信端末１００は、登録コンテンツの配信時刻であることをユーザに通知する。
【００６７】
ステップＳ２６０において、無線通信端末１００は、登録コンテンツを受信するか否かをユーザに判断させる。このとき、無線通信端末１００は、登録コンテンツを受信すると電池が消費し尽される（切れる）恐れがあることを無線通信端末１００の画面に表示させ、ユーザに通知（警告）する（図５（ｂ）参照）。
【００６８】
ユーザが登録コンテンツを受信するように判断する場合、本動作はステップＳ２９０に進み、無線通信端末１００は、ＢＣＭＣＳサーバから配信される登録コンテンツを受信する。ユーザが登録コンテンツを受信しないように判断する場合、本動作はステップＳ２７０に進み、ステップＳ２７０において、無線通信端末１００は、未受信コンテンツがあることを無線通信端末１００の画面に表示させ、ユーザに通知する。
【００６９】
ステップＳ２８０において、無線通信端末１００は、オンデマンド受信できる場合はその旨と、受信を取り消した登録コンテンツへのリンクを無線通信端末１００の画面に表示させる（図７（ａ）参照）。また、ステップＳ２８０は、電池が充電されたことを無線通信端末１００が検知した場合に行ってもよい。
【００７０】
（作用・効果）
本実施形態に係る移動体無線通信システム１によれば、登録コンテンツが配信される際に、無線通信端末１００の電池残量が閾値以下である場合、登録コンテンツの受信を取り消すことによって、無線通信端末１００の電池が消費し尽くされてしまうことを防止することができる。すなわち、無線通信端末１００が登録コンテンツの自動受信を止めなくても（コンテンツ配信サービスをＯＦＦ（登録解除）にしなくても）、電池が消費し尽くされてしまうことを防止することができる。
【００７１】
また、登録コンテンツが再配信される際に、登録コンテンツを受信できるため、当該登録コンテンツの取得機会を失わないようにすることができる。
【００７２】
本実施形態に係る移動体無線通信システム１によれば、登録コンテンツの再配信時刻が通知されることによって、ユーザは、再配信時刻までに、無線通信端末１００の電池を充電することができ、再配信時に登録コンテンツを取得することができる。
【００７３】
本実施形態に係る移動体無線通信システム１によれば、登録コンテンツを受信すると、電池が消費し尽くされる恐れがあることを通知されることによって、ユーザは、登録コンテンツを受信すべきか否かを適切に判断することができる。
【００７４】
本実施形態に係る移動体無線通信システム１によれば、登録コンテンツが再配信される際に、登録コンテンツを受信することができなかった場合であっても、無線通信端末１００は、当該コンテンツの取得を能動的に要求することができるため、当該登録コンテンツの取得機会を失わないようにすることができる。
【００７５】
また、無線通信端末１００は、ユニキャストによって（登録コンテンツの取得要求に応じて設定された通信経路を用いて）、登録コンテンツを受信することができるため、他のコンテンツの配信時刻であっても、ブロードキャスト／マルチキャストによる他のコンテンツの配信に影響を与えることなく、登録コンテンツを受信することができる。
【００７６】
（その他の実施形態）
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００７７】
例えば、上述した本発明の実施形態では、上述のタイムシフト処理部１４０と、オンデマンド処理部１５０とを組み合わせて、無線通信端末１００が登録コンテンツの受信を行う例について説明したが、再配信時に受信するように設定した後、当該再配信にも受信を取り消した場合に、コンテンツを記憶しているサーバに要求して取得するようにしても良い。また、タイムシフト処理部１４０のみ、又はオンデマンド処理部１５０のみによって、無線通信端末１００が登録コンテンツの受信を行ってもよい。
【００７８】
また、再配信処理１４０及びオンデマンド処理１５０は、電池残量が閾値以下の場合に行うように説明したが、電池残量が閾値未満の場合に行ってもよい。
【００７９】
また、無線通信端末１００は、携帯電話等の移動通信端末やカードやモジュールなどであってもよい。
【００８０】
また、上述の送受信部１１０と、コンテンツ配信登録処理部１２０と、電池残量検出部１３０と、タイムシフト処理部１４０と、オンデマンド処理部１５０コンピュータにおいて実行可能なプログラムとしても提供することができる。
【００８１】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【００８２】
【図１】本発明の実施形態に係る移動体通信システムの全体概略構成図である。
【図２】本発明の実施形態に係る無線通信端末の機能ブロック構成図である。
【図３】本発明の実施形態に係る登録コンテンツ情報の内容を示すである。
【図４】本発明の実施形態に係る無線通信端末のタイムシフト処理を示す図である。
【図５】本発明の実施形態に係る無線通信端末のタイムシフト処理を示す図である。
【図６】本発明の実施形態に係る無線通信端末のオンデマンド処理を示す図である。
【図７】本発明の実施形態に係る無線通信端末のオンデマンド処理を示す図である。
【図８】本発明の実施形態に係る無線通信端末のコンテンツ配信登録シーケンスである。
【図９】本発明の実施形態に係る無線通信端末の登録コンテンツ受信シーケンスである。
【図１０】従来の無線通信端末の登録コンテンツ受信を示す図である。
【符号の説明】
【００８３】
１…移動体無線通信システム、１００…無線通信端末、１１０…送受信部、１２０…コンテンツ配信登録処理部、１３０…電池残量検出部、１４０…タイムシフト処理部、１５０…オンデマンド処理部、２００…ＢＣＭＣＳサーバ、３００…ネットワーク、４００…ＰＤＳＮ、５００…ＰＣＦ、６００…ＡＮ
【図１】
0005241073.tif 000002
【図２】
0005241073.tif 000003
【図３】
0005241073.tif 000004
【図４】
0005241073.tif 000005
【図５】
0005241073.tif 000006
【図６】
0005241073.tif 000007
【図７】
0005241073.tif 000008
【図８】
0005241073.tif 000009
【図９】
0005241073.tif 000010
【図１０】
0005241073.tif 000011